(57)【要約】【課題】  本体に対するレフィル容器の収納保持を、レフィル容器の上に本体側の部分が位置しない構成で達成することにより、レフィル容器内の化粧料の使用を、良好な状態で行うことができるようにすると共に、レフィル容器の本体からの離脱を自重により達成できるようにすることを目的とする。【解決手段】  本体１内の仕切り体１６で仕切った第１収納室１２に、四角薄皿状のレフィル容器２６を、その外周面の四隅部だけで離脱不能に係止保持することにより、レフィル容器２６上に本体１側の部分が位置しないようにし、仕切り体１６の一端を軸支した、レフィル容器２６から離れる方向への揺動変位により、少なくとも本体１もしくは仕切り体１６とレフィル容器２６との係止を解除して、レフィル容器２６を自由落下させて、本体１から取出す。【選択図】図３
2005160580.tif 000002
【特許請求の範囲】
【請求項１】
蓋体（１４）を開閉回動自在に蝶番結合した薄皿状の本体（１）に、該本体（１）内を第１収納室（１２）と第２収納室（１３）とに仕切ると共に、前記第１収納室（１２）内に、化粧料収納用の肉薄な金属プレス成形品であるレフィル容器（２６）を着脱自在に組付け保持する仕切り体（１６）を組付けたコンパクト容器であって、角取りした四角薄皿状の前記レフィル容器（２６）の筒壁（２７）外周面四隅部に、横溝状の係止溝（２８）を設け、該係止溝（２８）に係止する第１係止条（３）を、前記本体（１）の周壁（２）内周面に、同様に前記係止溝（２８）に係止する第２係止条（２１）を、前記仕切り体（１６）の側面にそれぞれ設け、前記本体（１）の周壁（２）の対向した一方の部分（２ａ）に、前記仕切り体（１６）の一端を軸支して、該仕切り体（１６）を、前記レフィル容器（２６）を係止保持する位置と、該係止保持を解除する位置との間で揺動変位可能とする軸支機能部分を設け、また前記本体（１）の周壁（２）の対向した他方の部分（２ｂ）に、前記仕切り体（１６）の他端と乗り越え可能に係止して、該仕切り体（１６）をレフィル容器（２６）の係止保持位置に保持する係止機能部分を設けたコンパクト容器。
【請求項２】
本体（１）の周壁（２）の対向した他方部分（２ｂ）の内周面に、横溝状のガイド溝（４）を設け、該ガイド溝（４）の溝底面に突片（６）を突設して本体（１）側の係止機能部分を構成し、仕切り体（１６）の他端に、前記ガイド溝（４）に摺動自在に嵌合する横長棒片状の係止弾片（２２）を、弾性変位可能に突出位置させ、該係止弾片（２２）の突出側の面に、前記突片（６）に乗り越え可能に係止する係止片（２３）を突設して仕切り体（１６）側の係止機能部分を構成した請求項１記載のコンパクト容器。
【請求項３】
突片（６）を、ガイド溝（４）の溝底面に設けた凹溝（５）の溝底面に突設し、前記凹溝（５）の第２収納室（１３）側の溝端を、係止片（２３）が突き当たり係止するストッパー段部（７）とした請求項２記載のコンパクト容器。
【請求項４】
本体（１）の周壁（２）の対向した一方の部分（２ａ）に窓部（９）を開設し、該窓部（９）の第１収納室（１２）寄りの端部に軸片（１０）を設けて本体（１）側の軸支機能部分を構成し、前記窓部（９）に侵入可能な大きさである仕切り体（１６）の一端に、前記軸片（１０）が嵌合する軸孔を有する軸孔片（２５）を設けて仕切り体（１６）側の軸支機能部分を構成した請求項１、２または３記載のコンパクト容器。
【請求項５】
仕切り体（１６）の他端部の、第２収納室（１３）側の側面上端に、下面に引っ掛かり片を突設した引っ掛け片（２０）を庇状に設けた請求項１、２、３または４記載のコンパクト容器。
【請求項６】
本体（１）側の係止機能部分を設けた周壁（２）の他方部分（２ｂ）の内周面上端に、前記本体（１）の底壁との間に仕切り体（１６）の他端部が侵入位置する庇片（８）を設けた請求項１、２、３、４または５記載のコンパクト容器。
【発明の詳細な説明】
【技術分野】
【０００１】
本発明は、仕切り体で、収納空間を仕切ると共に、化粧料を収納した中皿であるレフィル容器を着脱自在に保持するコンパクト容器に関するものである。
【背景技術】
【０００２】
粉末化粧料や固形化粧料等の化粧料は、中皿に収容された状態でコンパクト容器に収納されるが、この化粧料を収容した中皿を、コンパクト容器に対して着脱自在で交換可能なレフィル容器とし、これにより経済性および利便性を高めたものが多用されている。
【０００３】
この中皿であるレフィル容器としては、機械的強度および成形寸法精度さらには内容物の収納保持性が優れており、また成形材料が物性的に安定しており、さらに軽量で安価であることから、アルミニウム等の薄肉な金属プレス成形品が多く使用されている。
【０００４】
また、中皿であるレフィル容器を着脱自在に組付けるコンパクト容器として、コンパクト容器の収納空間を仕切ると共に、レフィル容器を組付け保持する仕切り体を、コンパクト容器の本体に、その一端で枢支し、他端を乗り越え可能に係止することにより、揺動変位可能に組付け、この仕切り体の揺動変位により、本体に対するレフィル容器の着脱を自在としたものがある。
【特許文献１】実公昭６３−０４０１６３号公報
【発明の開示】
【発明が解決しようとする課題】
【０００５】
しかしながら、特許文献１に開示された従来技術にあっては、仕切り体は、一体に設けた押え突条をレフィル容器の上面に当接させて、本体の底壁との間で支持する構成であるので、仕切り体の上端部がレフィル容器よりも上位に位置することになり、このため仕切り体の上端部が、レフィル容器に収納されている化粧料の使用の邪魔となる、と云う問題があった。
【０００６】
また、レフィル容器が肉薄な金属プレス成形品である場合には、仕切り体の押え突条がレフィル容器の開口領域内まで侵入してしまい、レフィル容器に収納されている化粧料の一部を隠してしまうので、化粧料の消費に無駄の生じる恐れがある、と云う問題があった。
【０００７】
さらに、本体にも、レフィル容器の上面に当接して、レフィル容器の保持を達成維持する押え突条が設けられているので、仕切り体によるレフィル容器に対する保持を解除したとしても、本体によるレフィル容器に対する保持は解除されないので、指先でレフィル容器を引上げるか引出すかしなければならないが、金属プレセ成形品であるレフィル容器の開口縁には、切断加工時に成形されてしまう鋭いエッジ状の“バリ”が残存している場合が多いので、レフィル容器の指先による取出し操作時に、この“バリ”により指先に怪我をする恐れがある、と云う問題があった。
【０００８】
特に、コンパクト容器の取扱い時には、殆どの場合、指先に化粧料等の脂分が付着しており、この付着した脂分により指先が滑り易くなっているので、上記した怪我をする確率が高いものとなっている。
【０００９】
そこで、本発明は、上記した従来技術における問題点を解消すべく創案されたもので、本体に対するレフィル容器の収納保持を、レフィル容器の上に本体側の部分が位置しない構成で達成することを技術的課題とし、もってレフィル容器内の化粧料の使用を、良好な状態で行うことができるようにすると共に、レフィル容器の本体からの離脱を自重により達成できるようにすることを目的とする。
【課題を解決するための手段】
【００１０】
上記技術的課題を解決する本発明の内、請求項１記載の発明に手段は、
蓋体を開閉回動自在に蝶番結合した薄皿状の本体に、この本体内を第１収納室と第２収納室とに仕切ると共に、第１収納室内に、化粧料収納用の肉薄な金属プレス成形品であるレフィル容器を着脱自在に組付け保持する仕切り体を組付けたコンパクト容器であること、
角取りした四角薄皿状のレフィル容器の筒壁外周面四隅部に、横溝状の係止溝を設けること、
このレフィル容器の係止溝に係止する第１係止条を、本体の周壁内周面に、同様にレフィル容器の係止溝に係止する第２係止条を、仕切り体の側面にそれぞれ設けること、
本体の周壁の対向した一方の部分に、仕切り体の一端を軸支して、仕切り体を、レフィル容器を係止保持する位置と、この係止保持を解除する位置との間で揺動変位可能とする軸支機能部分を設けること、
また本体の周壁の対向した他方の部分に、仕切り体の他端と乗り越え可能に係止して、この仕切り体をレフィル容器の係止保持位置に保持する係止機能部分を設けたこと、
にある。
【００１１】
この請求項１記載の発明にあっては、レフィル容器は、隣り合った一対の係止溝を、本体の周壁の内周面に設けた第１係止条に係止させ、残りの隣り合った一対の係止溝を、仕切り体の側面に設けた第２係止条に係止させて、本体の第１収納室に組付け保持される。
【００１２】
このように、本体に対するレフィル容器の係止保持は、レフィル容器の外周面に対する係止により達成するので、レフィル容器を係止保持するための本体側の部分が、レフィル容器の上に位置することがなく、本体に係止保持されたレフィル容器は、その開口部全域を露出させる。
【００１３】
また、レフィル容器の係止溝は、筒壁の外周面四隅部に設けられているので、仕切り体を揺動変位させて、本体および仕切り体に対してレフィル容器を、相対的に僅かに変位（係止溝の深さに相当する変位）させることにより、本体の第１係止条または仕切り体の第２係止条との係止が解除されることになる。
【００１４】
このように、レフィル容器の係止溝と、本体の第１係止条および仕切り体の第２係止条との係止は、レフィル容器の僅かな変位により解除されるので、仕切り体の一端を支点とした揺動変位により、レフィル容器に対する係止を確実に解除することになる。
【００１５】
請求項２記載の発明は、請求項１記載の発明の構成に、本体の周壁の対向した他方部分の内周面に、横溝状のガイド溝を設け、このガイド溝の溝底面に突片を突設して本体側の係止機能部分を構成し、仕切り体の他端に、本体のガイド溝に摺動自在に嵌合する横長棒片状の係止弾片を弾性変位可能に突出位置させ、この係止弾片の突出側の面に、本体の突片に乗り越え可能に係止する係止片を突設して仕切り体側の係止機能部分を構成したこと、を加えたものである。
【００１６】
この請求項２記載の発明にあっては、仕切り体の係止弾片が、本体のガイド溝に摺動自在に嵌合しているので、この係止弾片を設けた仕切り体の他端が不正に浮き上がり変位することがなく、これにより係止弾片に設けた係止片の、本体の突片に対する係止を、強固に安定して確保する。
【００１７】
請求項３記載の発明は、請求項２記載の発明の構成に、本体の突片を、ガイド溝の溝底面に設けた凹溝の溝底面に突設し、凹溝の第２収納室側の溝端を、仕切り体の係止片が突き当たり係止するストッパー段部としたこと、を加えたものである。
【００１８】
この請求項３記載の発明にあっては、本体のガイド溝に凹溝を設けることにより、仕切り体の係止弾片の摺動可能な嵌合を確保することができる、ガイド溝の深さを、凹溝の深さ分だけ浅くすることが可能であり、また本体のストパー段部に対する仕切り体の係止片の突き当たりにより、仕切り体の揺動変位の限界位置を設定することになる。
【００１９】
請求項４記載の発明は、請求項１、２または３記載の発明の構成に、本体の周壁の対向した一方の部分に窓部を開設し、この窓部の第１収納室寄りの端部に軸片を設けて本体側の軸支機能部分を構成し、窓部に侵入可能な大きさである仕切り体の一端に、軸片が嵌合する軸孔を有する軸孔片を設けて仕切り体側の軸支機能部分を構成したこと、を加えたものである。
【００２０】
この請求項４記載の発明にあっては、本体に対する仕切り体の軸支部分を、第１収納室寄りの端部に設定したので、仕切り体がレフィル容器に対する係止保持を解除する方向に揺動変位した際、レフィル容器に対向している仕切り体の全ての部分が、このレフィル容器から離れる方向に変位することになり、また本体の窓孔は、仕切り体の一端が侵入可能な大きさであるので、仕切り体の揺動変位に本体部分が邪魔となることがない。
【００２１】
請求項５記載の発明は、請求項１、２、３または４記載の発明の構成に、仕切り体の他端部の、第２収納室側の側面上端に、下面に引っ掛かり片を突設した引っ掛け片を庇状に設けたこと、を加えたものである。
【００２２】
この請求項５記載の発明にあっては、引っ掛け片を、爪で引っ掛けて、または指先で摘んで、第２収納室側に引っ張ることにより、レフィル容器に触れることなく、仕切り体を係止解除位置の揺動させることができる。
【００２３】
請求項６記載の発明は、請求項１、２、３、４または５記載の発明の構成に、本体側の係止機能部分を設けた周壁の他方部分の内周面上端に、本体の底壁との間に仕切り体の他端部が侵入位置する庇片を設けたこと、を加えたものである。
【００２４】
この請求項６記載の発明にあっては、本体の庇片が、仕切り体の他端部を上から押えることになるので、仕切り体の他端部の浮き上がりを確実に防止して、本体のガイド溝に対する仕切り体の係止弾片の摺動可能な嵌合組付きを、安定したものとする。
【発明の効果】
【００２５】
本発明は、上記した構成となっているので、以下に示す効果を奏する。
請求項１記載の発明にあっては、本体に係止保持されたレフィル容器は、その開口部全域を露出させるので、本体および仕切り体に邪魔されることなく、レフィル容器に収納されている化粧料を、良好な状態で使用することができる。
【００２６】
また、レフィル容器に対する係止保持は、本体および仕切り体とレフィル容器との僅かな相対変位により解除されるので、仕切り体の一端を支点とした揺動変位により、レフィル容器に対する係止を確実に解除することができ、これによりレフィル容器に触れることなく、このレフィル容器を自然落下動作により取り外すことができる。
【００２７】
請求項２記載の発明にあっては、仕切り体の係止弾片に設けた係止片の、本体の突片に対する係止を、強固に安定して確保することができるので、仕切り体によるレフィル容器の係止、すなわち本体に対するレフィル容器の係止保持を、安定して維持することができる。
【００２８】
請求項３記載の発明にあっては、ガイド溝の深さを、凹溝の深さ分だけ浅くすることができるので、深いガイド溝を形成することによる、本体の周壁の機械的強度の低下を低減させることができ、また仕切り体の揺動変位の限界位置を設定することができるので、仕切り体の無駄のない、安定して安全な動作を得ることができる。
【００２９】
請求項４記載の発明にあっては、仕切り体を係止保持解除方向に揺動変位させた際、レフィル容器に対向している仕切り体の全ての部分が、このレフィル容器から離れる方向に変位することになるので、仕切り体の僅かな揺動変位により、レフィル容器の確実な係止保持解除を得ることができ、また仕切り体の確実で円滑な揺動変位動作を得ることができる。
【００３０】
請求項５記載の発明にあっては、指先をレフィル容器に触れることなく、仕切り体を係止解除位置の揺動させることができるので、レフィル容器の取出しを安全に達成することができる。
【００３１】
請求項６記載の発明にあっては、仕切り体の他端部の浮き上がりを確実に防止して、本体のガイド溝に対する仕切り体の係止弾片の摺動可能な嵌合組付きを、安定したものとするので、レフィル容器の係止保持を安定して維持でき、また弾性変形する部分である係止弾片の機械的安全性を高めることができる。
【発明を実施するための最良の形態】
【００３２】
以下、本発明の一実施形態を、図面を参照しながら説明する。
本発明は、図１に示すように、角取りした四角薄皿状をした本体１と、この本体１の内部を左右に、レフィル容器２６を収納する第１収納室１２と、パフ等の化粧具を収納する第２収納室１３とに仕切る仕切り体１６と、本体１の後端部に開閉回動自在に蝶番結合され、内面に鏡１５を固着した伏せた薄皿状の蓋体１４と、第１収納室１２に着脱可能に組付けられる、肉薄な金属プレス成形品であるレフィル容器２６とから構成されている。
【００３３】
中皿として使用されるレフィル容器２６は、第１収納室１２の深さよりも僅かに小さい高さの角取りした四角薄皿形状をしていて、その筒壁２７の外周面四隅部に、横溝状の係止溝２８を陥没状に湾曲形成しており、この係止溝２８を形成することにより、筒壁２７の内周面に突出する部分を、内部に収納した化粧料を保持する部分として機能させている。
【００３４】
本体１は、その後側周壁２部分である一方の部分２ａの中央部に、仕切り体１６の一端を軸支する軸支機能部分を設けており、これに対向する前側周壁２部分である他方の部分２ｂの中央部内側に、仕切り体１６の他端を乗り越え可能に係止固定する係止機能部分を設けており、さらに他方の部分２ｂの中央部外側に、蓋体１４の前側中央部と係止して、蓋体１４の閉姿勢を保持する係止部と、この係止部の係止を、指先による押圧操作により解除する回動駒片とから構成されるロック機能部２９を設けている。
【００３５】
仕切り体１６（以下、図２参照）は、両端部を円弧に沿って拡幅して、前後に細長である天板１７の両側縁から側板１８を垂下設して、断面門型に構成されており、一端には軸支機能部分を、そして他端には係止機能部分を形成し、上面の両端に段部１９を形成し、さらに他端部の天板１７の第２収納室１３側に、下面に爪もしくは指先が引っ掛かる突部を設けた引掛け片２０を設けている。
【００３６】
軸支機能部分（以下、図８ないし図１０参照）は、本体１側を、仕切り体１６の一端部が侵入可能な大きさで周壁２の一方の部分２ａに開設された窓部９と、この窓部９の上側の面の、第１収納室１２側寄りの端部に垂下設された高さの低い軸片１０とから構成し、仕切り体１６側を、仕切り体１６の一端を塞いで設けられた端板２４の、第１収納室１２側寄りの端部の上側に、軸片１０が嵌合する軸孔を有する板片状の軸孔片２５を突設して構成している。
【００３７】
また、係止機能部分（以下、図４ないし図７参照）は、本体１側を、周壁２の他方の部分２ｂの内周面に陥没設された横長なガイド溝４と、このガイド溝４の溝底面に陥没設され、第２収納室１３側の端縁をストッパー段部７とした凹溝５と、この凹溝５の溝底面に突設された突片６とから構成し、仕切り体１６側を、天板１７および側板１８が形成する主体部分の他端から、第２収納室１３側から第１収納室１２側に延出した姿勢の弾性変位可能に突出した、横長棒状の係止弾片２２と、この係止弾片２２の延出端に突設された係止片２３とから構成しており、係止弾片２２は、突片６に乗り越え可能に係止する係止片２３を凹溝５に嵌入させた状態で、ガイド溝４に摺動自在に嵌合する。
【００３８】
第１収納室１２を形成する本体１の周壁２内周面の二つの隅部には、レフィル容器２６の係止溝２８に係止する横突条状の第１係止条３が、同様に第１収納室１２を形成する仕切り体１６の一方の側板１８の前後両端部には、レフィル容器２６の係止溝２８に係止する横突条状の第２係止条２１が設けられており、各係止溝２８に第１係止条３および第２係止条２１を係止させることにより、レフィル容器２６を本体１に係止保持する。
【００３９】
また、本体１の係止機能部分の直上の周壁２内周面の上端には、周壁２の上面を延長させた形態で、庇片８が突出設されていて、仕切り体１６の他端部の浮き上がりを阻止しており、これにより本体１のガイド溝４に摺動可能に嵌合している仕切り体１６の係止弾片２２に、上下方向の不要な外力が作用しないようにしている。
【００４０】
同様に、本体１の軸支機能部分の直上の周壁２内周面の上端に、周壁２の上面を延長させた形態で庇状の張り出し片１１が設けられているが、この張り出し片１１は、仕切り体１６の上面の一端側に設けられた段部１９に突き当たって、仕切り体１６の揺動変位の限界位置を設定している。
【００４１】
仕切り体１６は、両段部１９間の上面部分を、本体１の上面部分と等しい高さ位置となるようにし、これにより係止保持したレフィル容器２６の上端が、上方に突出しないようにしているので、レフィル容器２６の上端縁のエッジ部が指先に触れることがないようにしている。
【００４２】
本体１に対するレフィル容器２６の装着は、仕切り体１６を、図３に点線で示す、係止片２３がストッパー段部７に係止した、および張り出し片１１が段部１９に突き当たった揺動限界位置に変位させた状態で、第１収納室１２にレフィル容器２６を落とし込み状に挿入し、そのまま係止片２３が突片６に乗り越え係止するまで、仕切り体１６を係止保持位置まで揺動させて達成する。
【００４３】
反対に、レフィル容器２６の取出しは、仕切り体１６を、引掛け片２０を摘んでもしくは引掛けて、図３の実線図示状態から、点線図示の揺動限界位置に変位させた状態で、本体１を逆さまにして、レフィル容器２６を自重落下させることにより達成する。
【００４４】
仕切り体１６を組付けた本体１側とレフィル容器２６側との係止は、第１収納室１２およびレフィル容器２６の四隅部に設けられた係止機能部で達成されているのであるが、係止機能部が角取りした四隅部に位置しているので、本体１側とレフィル容器２６とが相対変位すると、例えその相対変位が小さくても、必ず各係止機能部はその係止を解除する方向に相対変位するので、レフィル容器２６の取出しは、無理なく確実に達成できる。
【００４５】
特に、本体１側に対するレフィル容器２６の係止保持は、レフィル容器２６を上から押さえ込むのではなく、その外周面に係止するだけであるので、本体１または仕切り体１６の一方との係止が解除されると、レフィル容器２６は、この係止を解除された側を浮き上げ、この浮き上がりにより、全体の係止を解除してしまうことになる。
【００４６】
このように、レフィル容器２６を、このレフィル容器２６に触れることなく、自然落下により確実に取外すことができるので、レフィル容器２６の開口部のエッジで指先を傷付ける、と云う不都合の発生を皆無とすることができる。
【００４７】
なお、図示実施例は、容器の全体が横長となった横型のコンパクト容器を示したが、本発明はこれに特定されることはなく、縦長となった縦型のコンパクト容器に適用することができるのは、云うまでもない。
【図面の簡単な説明】
【００４８】
【図１】本発明の一実施形態の分解状態を示す、外観斜視図である。
【図２】図１に示した実施形態の仕切り体の一部破断した、外観斜視図である。
【図３】図１に示した実施形態の仕切り体の動きを示す、平面図である。
【図４】本体の係止機能部分の詳細を示す、部分拡大斜視図である。
【図５】係止機能部分の詳細を示す、部分拡大平面図である。
【図６】係止機能部分の詳細を示す、部分拡大平断面図である。
【図７】係止機能部分の詳細を示す、部分拡大縦断面図である。
【図８】軸支機能部分の詳細を示す、部分拡大平面図である。
【図９】軸支機能部分の詳細を示す、部分拡大平断面図である。
【図１０】軸支機能部分の詳細を示す、部分拡大縦断面図である。
【符号の説明】
【００４９】
１    ；  本体
２    ；  周壁
３    ；  第１係止条
４    ；  ガイド溝
５    ；  凹溝
６    ；  突片
７    ；  ストッパー段部
８    ；  庇片
９    ；  窓部
１０  ；  軸片
１１  ；  張り出し片
１２  ；  第１収納室
１３  ；  第２収納室
１４  ；  蓋体
１５  ；  鏡
１６  ；  仕切り体
１７  ；  天板
１８  ；  側板
１９  ；  段部
２０  ；  引掛け片
２１  ；  第２係止条
２２  ；  係止弾片
２３  ；  係止片
２４  ；  端板
２５  ；  軸孔片
２６  ；  レフィル容器
２７  ；  筒壁
２８  ；  係止溝
２９  ；  ロック機能部
【図１】
2005160580.tif 000003
【図２】
2005160580.tif 000004
【図３】
2005160580.tif 000005
【図４】
2005160580.tif 000006
【図５】
2005160580.tif 000007
【図６】
2005160580.tif 000008
【図７】
2005160580.tif 000009
【図８】
2005160580.tif 000010
【図９】
2005160580.tif 000011
【図１０】
2005160580.tif 000012